(57)【特許請求の範囲】
【請求項１】
身体の全部又は一部に関する記録情報、病名及びその他の項目名のいずれかを示す分類情報、並びに当該記録情報の記録の時点を特定するための記録時点情報と対応づけて記憶する記録情報記憶手段の、前記記録情報に対応する前記分類情報が病名である場合は、当該分類情報に基づいて当該記録情報をグループ化し、グループごとに、当該グループに係る主病名を表題として、当該グループに属する前記記録情報を代表する記録の時点を、当該記録情報に対応する前記記録時点情報に基づいて表示し、前記記録情報記憶手段の記録情報に対応する前記分類情報が病名でない場合は、当該分類情報に基づいて当該記録情報をグループ化し、グループごとに、当該グループに係る項目名を表題として、当該グループに属する前記記録情報を代表する記録の時点を、当該記録情報に対応する前記記録時点情報に基づいて表示するグループ化記録時点表示手段と、
複数の前記記録情報が属するグループについて前記グループ化記録時点表示手段で表示された記録の時点を指定する第１記録時点指定手段と、
前記第１記録時点指定手段で指定した記録の時点に対応するグループに属する前記記録情報の各記録の時点を、当該記録情報に対応する前記記録時点情報に基づいて表示する記録時点一覧表示手段と、
前記記録時点一覧表示手段で表示された各記録の時点のなかからいずれかを指定する第２記録時点指定手段と、
１の前記記録情報が属するグループについて前記グループ化記録時点表示手段で表示された記録の時点を指定する第３記録時点指定手段と、
前記第２記録時点指定手段又は前記第３記録時点指定手段で指定した記録の時点に対応する前記記録情報を表示する第２記録情報表示手段とを備えることを特徴とする記録情報管理システム。
【請求項２】
請求項１において、
前記身体の全部又は一部を表す身体画像を表示する身体画像表示手段と、
前記身体画像上の位置を指定する位置指定手段と、
前記記録情報を入力する記録情報入力手段と、
前記記録情報入力手段で入力した記録情報を、前記位置指定手段で指定した位置又は前記位置指定手段で指定した位置に係る前記身体の部位、前記分類情報及び前記記録時点情報と対応づけて前記記録情報記憶手段に登録する記録情報登録手段と、
前記記録情報入力手段で入力した記録情報を、前記位置指定手段で指定した位置又は前記位置指定手段で指定した位置に係る前記身体の部位と対応づけて前記身体画像上に表示する記録情報表示手段とを備えることを特徴とする記録情報管理システム。
【請求項３】
請求項２において、
表示位置を設定する表示位置設定手段を備え、
前記記録情報登録手段は、前記位置指定手段で指定した位置の位置情報と対応づけて前記記録情報を前記記録情報記憶手段に登録し、
前記表示位置設定手段は、前記記録情報記憶手段の記録情報に前記位置情報が設定されている場合は、当該位置情報の位置を前記表示位置に設定し、前記記録情報記憶手段の記録情報に前記位置情報が設定されていない場合は、前記身体画像以外の余白部分を前記表示位置に設定し、
前記グループ化記録時点表示手段は、グループごとに、当該グループの表題及び当該グループに属する前記記録情報を代表する記録の時点を前記表示位置に表示することを特徴とする記録情報管理システム。
【請求項４】
身体の全部又は一部に関する記録情報、病名及びその他の項目名のいずれかを示す分類情報、並びに当該記録情報の記録の時点を特定するための記録時点情報と対応づけて記憶する記録情報記憶手段の、前記記録情報に対応する前記分類情報が病名である場合は、当該分類情報に基づいて当該記録情報をグループ化し、グループごとに、当該グループに係る主病名を表題として、当該グループに属する前記記録情報を代表する記録の時点を、当該記録情報に対応する前記記録時点情報に基づいて表示し、前記記録情報記憶手段の記録情報に対応する前記分類情報が病名でない場合は、当該分類情報に基づいて当該記録情報をグループ化し、グループごとに、当該グループに係る項目名を表題として、当該グループに属する前記記録情報を代表する記録の時点を、当該記録情報に対応する前記記録時点情報に基づいて表示するグループ化記録時点表示ステップと、
複数の前記記録情報が属するグループについて前記グループ化記録時点表示ステップで表示された記録の時点を指定する第１記録時点指定ステップと、
前記第１記録時点指定ステップで指定した記録の時点に対応するグループに属する前記記録情報の各記録の時点を、当該記録情報に対応する前記記録時点情報に基づいて表示する記録時点一覧表示ステップと、
前記記録時点一覧表示ステップで表示された各記録の時点のなかからいずれかを指定する第２記録時点指定ステップと、
１の前記記録情報が属するグループについて前記グループ化記録時点表示ステップで表示された記録の時点を指定する第３記録時点指定ステップと、
前記第２記録時点指定ステップ又は前記第３記録時点指定ステップで指定した記録の時点に対応する前記記録情報を表示する第２記録情報表示ステップとを含む処理をコンピュータに実行させるためのプログラムであることを特徴とする記録情報管理プログラム。
【請求項５】
請求項４において、
前記身体の全部又は一部を表す身体画像を表示する身体画像表示ステップと、
前記身体画像上の位置を指定する位置指定ステップと、
前記記録情報を入力する記録情報入力ステップと、
前記記録情報入力ステップで入力した記録情報を、前記位置指定ステップで指定した位置又は前記位置指定ステップで指定した位置に係る前記身体の部位、前記分類情報及び前記記録時点情報と対応づけて前記記録情報記憶手段に登録する記録情報登録ステップと、
前記記録情報入力ステップで入力した記録情報を、前記位置指定ステップで指定した位置又は前記位置指定ステップで指定した位置に係る前記身体の部位と対応づけて前記身体画像上に表示する記録情報表示ステップとを含む処理をコンピュータに実行させるためのプログラムであることを特徴とする記録情報管理プログラム。
【請求項６】
請求項５において、
表示位置を設定する表示位置設定ステップを含む処理をコンピュータに実行させるためのプログラムであり、
前記記録情報登録ステップは、前記位置指定ステップで指定した位置の位置情報と対応づけて前記記録情報を前記記録情報記憶手段に登録し、
前記表示位置設定ステップは、前記記録情報記憶手段の記録情報に前記位置情報が設定されている場合は、当該位置情報の位置を前記表示位置に設定し、前記記録情報記憶手段の記録情報に前記位置情報が設定されていない場合は、前記身体画像以外の余白部分を前記表示位置に設定し、
前記グループ化記録時点表示ステップは、グループごとに、当該グループの表題及び当該グループに属する前記記録情報を代表する記録の時点を前記表示位置に表示することを特徴とする記録情報管理プログラム。
【請求項７】
グループ化記録時点表示手段が、身体の全部又は一部に関する記録情報、病名及びその他の項目名のいずれかを示す分類情報、並びに当該記録情報の記録の時点を特定するための記録時点情報と対応づけて記憶する記録情報記憶手段の、前記記録情報に対応する前記分類情報が病名である場合は、当該分類情報に基づいて当該記録情報をグループ化し、グループごとに、当該グループに係る主病名を表題として、当該グループに属する前記記録情報を代表する記録の時点を、当該記録情報に対応する前記記録時点情報に基づいて表示し、前記記録情報記憶手段の記録情報に対応する前記分類情報が病名でない場合は、当該分類情報に基づいて当該記録情報をグループ化し、グループごとに、当該グループに係る項目名を表題として、当該グループに属する前記記録情報を代表する記録の時点を、当該記録情報に対応する前記記録時点情報に基づいて表示するグループ化記録時点表示ステップと、
第１記録時点指定手段が、複数の前記記録情報が属するグループについて前記グループ化記録時点表示ステップで表示された記録の時点を指定する第１記録時点指定ステップと、
記録時点一覧表示手段が、前記第１記録時点指定ステップで指定した記録の時点に対応するグループに属する前記記録情報の各記録の時点を、当該記録情報に対応する前記記録時点情報に基づいて表示する記録時点一覧表示ステップと、
第２記録時点指定手段が、前記記録時点一覧表示ステップで表示された各記録の時点のなかからいずれかを指定する第２記録時点指定ステップと、
第３記録時点指定手段が、１の前記記録情報が属するグループについて前記グループ化記録時点表示ステップで表示された記録の時点を指定する第３記録時点指定ステップと、
第２記録情報表示手段が、前記第２記録時点指定ステップ又は前記第３記録時点指定ステップで指定した記録の時点に対応する前記記録情報を表示する第２記録情報表示ステップとを含むことを特徴とする記録情報管理方法。
【請求項８】
請求項７において、
身体画像表示手段が、前記身体の全部又は一部を表す身体画像を表示する身体画像表示ステップと、
位置指定手段が、前記身体画像上の位置を指定する位置指定ステップと、
記録情報入力手段が、前記記録情報を入力する記録情報入力ステップと、
記録情報登録手段が、前記記録情報入力ステップで入力した記録情報を、前記位置指定ステップで指定した位置又は前記位置指定ステップで指定した位置に係る前記身体の部位、前記分類情報及び前記記録時点情報と対応づけて前記記録情報記憶手段に登録する記録情報登録ステップと、
記録情報表示手段が、前記記録情報入力ステップで入力した記録情報を、前記位置指定ステップで指定した位置又は前記位置指定ステップで指定した位置に係る前記身体の部位と対応づけて前記身体画像上に表示する記録情報表示ステップとを含むことを特徴とする記録情報管理方法。
【請求項９】
請求項８において、
表示位置設定手段が、表示位置を設定する表示位置設定ステップを含み、
前記記録情報登録ステップは、前記位置指定ステップで指定した位置の位置情報と対応づけて前記記録情報を前記記録情報記憶手段に登録し、
前記表示位置設定ステップは、前記記録情報記憶手段の記録情報に前記位置情報が設定されている場合は、当該位置情報の位置を前記表示位置に設定し、前記記録情報記憶手段の記録情報に前記位置情報が設定されていない場合は、前記身体画像以外の余白部分を前記表示位置に設定し、
前記グループ化記録時点表示ステップは、グループごとに、当該グループの表題及び当該グループに属する前記記録情報を代表する記録の時点を前記表示位置に表示することを特徴とする記録情報管理方法。
【発明の詳細な説明】
【技術分野】
【０００１】
本発明は、身体の全部又は一部に関する記録情報を管理するシステム及びプログラム、並びに方法に係り、特に、利用者の思考を妨げず且つ膨大な記録情報を直感的に把握するのに好適な記録情報管理システム及び記録情報管理プログラム、並びに記録情報管理方法に関する。
【背景技術】
【０００２】
従来の電子カルテシステムとしては、例えば、特許文献１記載の技術が知られている。
【先行技術文献】
【特許文献】
【０００３】
【特許文献１】特開２００５−３８２６２号公報
【発明の概要】
【発明が解決しようとする課題】
【０００４】
特許文献１記載の技術のように、従来の電子カルテシステムは、オーダリングシステムをベースに発展してきた。オーダリングシステムは、医師の指示内容を看護師や事務員など関連するスタッフに伝達することを主目的にしているため、指示を出すことを中心にしたデータ入力操作が色濃く残っており、診察時に入力操作が医師の思考の妨げになることが多い。また、入力した情報の多くはテキストの羅列表示のため、患者の状態を把握するためには、過去の記事をくまなく読む必要があり時間がかかる。表現力も乏しく記憶にも残りにくい。将来の電子カルテシステムには、医師の思考を妨げず且つ膨大な記録情報を瞬時に記憶と結びつけることが求められる。
【０００５】
このような技術的課題は、医療の分野に限らず、介護や福祉の分野においても同様に想定される。すなわち、介護や福祉のシステムとして適用する場合は、同様に、介護者等の従事者の思考を妨げず且つ膨大な記録情報を瞬時に記憶と結びつけることが求められる。
【０００６】
そこで、本発明は、このような従来の技術の有する未解決の課題に着目してなされたものであって、利用者の思考を妨げず且つ膨大な記録情報を直感的に把握するのに好適な記録情報管理システム及び記録情報管理プログラム、並びに記録情報管理方法を提供することを目的としている。
【課題を解決するための手段】
【０００７】
〔発明１〕  上記目的を達成するために、発明１の記録情報管理システムは、身体の全部又は一部を表す身体画像を表示する身体画像表示手段と、前記身体画像上の位置を指定する位置指定手段と、前記身体の全部又は一部に関する記録情報を入力する記録情報入力手段と、前記記録情報入力手段で入力した記録情報を、前記位置指定手段で指定した位置又は前記位置指定手段で指定した位置に係る前記身体の部位と対応づけて記録情報記憶手段に登録する記録情報登録手段と、前記記録情報入力手段で入力した記録情報を、前記位置指定手段で指定した位置又は前記位置指定手段で指定した位置に係る前記身体の部位と対応づけて前記身体画像上に表示する記録情報表示手段とを備える。
【０００８】
このような構成であれば、身体画像表示手段により、身体画像が表示される。そして、位置指定手段により、身体画像上の位置を指定し、記録情報入力手段により、記録情報を入力すると、記録情報登録手段により、入力された記録情報が、指定された位置又は指定された位置に係る身体の部位と対応づけられて記録情報記憶手段に登録される。また、記録情報表示手段により、入力された記録情報が、指定された位置又は指定された位置に係る身体の部位と対応づけられて身体画像上に表示される。
【０００９】
ここで、記録情報は、例えば、医療のシステムとして適用する場合は診療記録情報が、介護のシステムとして適用する場合は介護記録情報が、福祉のシステムとして適用する場合は健診記録情報が含まれる。以下、発明１６の記録情報管理プログラム、及び発明１７の記録情報管理方法において同じである。
【００１０】
また、身体には、人間又は動物の身体が含まれる。以下、発明１６の記録情報管理プログラム、及び発明１７の記録情報管理方法において同じである。
【００１１】
また、記録情報記憶手段において、記録情報及び位置又は部位を対応づけて記憶することとしては、例えば、（１）記録情報及び位置又は部位の情報を同一のレコードに登録するなど、直接対応づけて記憶すること、（２）記録情報及び中間情報を対応づけて登録するテーブルと、位置又は部位の情報及び中間情報を対応づけて登録するテーブルを設けるなど、中間に１又は複数の情報を介して記憶することが含まれる。すなわち、記録情報から位置又は部位の情報を辿ることができる態様であれば、あらゆるデータ構造を採用することができる。以下、情報を対応づけて記憶する概念については同じである。
【００１２】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。
【００１３】
〔発明２〕  さらに、発明２の記録情報管理システムは、発明１の記録情報管理システムにおいて、前記身体の部位に関する前記記録情報の入力支援に必要な入力支援情報を記憶する入力支援情報記憶手段と、前記入力支援情報に基づいて前記記録情報の入力を支援する記録情報入力支援手段と、前記記録情報入力支援手段を起動する記録情報入力支援手段起動手段と、前記位置指定手段で指定した位置に係る前記身体の部位に対応する前記入力支援情報を前記入力支援情報記憶手段のなかから検索する入力支援情報検索手段と、前記入力支援情報検索手段で索出した入力支援情報を、前記記録情報入力支援手段起動手段で起動した記録情報入力支援手段が利用可能となるように提供する入力支援情報提供手段とを備える。
【００１４】
このような構成であれば、記録情報入力支援手段起動手段により、記録情報入力支援手段が起動する。そして、入力支援情報検索手段により、指定された位置に係る身体の部位に対応する入力支援情報が入力支援情報記憶手段のなかから検索され、入力支援情報提供手段により、記録情報入力支援手段が利用可能となるように、索出された入力支援情報が提供される。
【００１５】
ここで、入力支援情報記憶手段は、入力支援情報をあらゆる手段で且つあらゆる時期に記憶するものであり、入力支援情報を予め記憶してあるものであってもよいし、入力支援情報を予め記憶することなく、本システムの動作時に外部からの入力等によって入力支援情報を記憶するようになっていてもよい。
【００１６】
〔発明３〕  さらに、発明３の記録情報管理システムは、発明２の記録情報管理システムにおいて、利用者ごとに当該利用者が前記記録情報入力支援手段を起動した起動履歴情報、前記記録情報の記録対象となる被記録者ごとに当該被記録者について前記記録情報入力支援手段を起動した起動履歴情報、又は、前記身体の部位ごとに当該部位に係る前記記録情報入力支援手段を起動した起動履歴情報を記憶する起動履歴情報記憶手段と、前記起動履歴情報記憶手段の起動履歴情報に基づいて、前記利用者が利用する可能性が高い前記記録情報入力支援手段を推定する記録情報入力支援手段推定手段とを備え、前記記録情報入力支援手段起動手段は、前記記録情報入力支援手段推定手段で推定した記録情報入力支援手段を起動する。
【００１７】
このような構成であれば、記録情報入力支援手段推定手段により、起動履歴情報記憶手段の起動履歴情報に基づいて、利用者が利用する可能性が高い記録情報入力支援手段が推定され、記録情報入力支援手段起動手段により、推定された記録情報入力支援手段が起動する。
【００１８】
ここで、起動履歴情報記憶手段は、起動履歴情報をあらゆる手段で且つあらゆる時期に記憶するものであり、起動履歴情報を予め記憶してあるものであってもよいし、起動履歴情報を予め記憶することなく、本システムの動作時に外部からの入力等によって起動履歴情報を記憶するようになっていてもよい。
【００１９】
〔発明４〕  さらに、発明４の記録情報管理システムは、発明１乃至３のいずれか１の記録情報管理システムにおいて、複数の前記身体画像のなかから前記身体画像を選択する身体画像選択手段を備え、前記身体画像表示手段は、前記身体画像選択手段で選択した身体画像を表示する。
【００２０】
このような構成であれば、身体画像選択手段により、複数の身体画像のなかから身体画像が選択されると、身体画像表示手段により、選択された身体画像が表示される。
【００２１】
〔発明５〕  一方、上記目的を達成するために、発明５のことを特徴とする記録情報管理システムは、発明１乃至４のいずれか１のことを特徴とする記録情報管理システムにおいて、前記記録情報は、当該記録情報の分類に関する分類情報と、当該記録情報の記録の時点を特定するための記録時点情報とに対応づけられ、前記記録情報記憶手段の記録情報を、当該記録情報に対応する前記分類情報に基づいて複数の表示欄のいずれかに分類し、前記表示欄ごとに、当該表示欄に分類された前記記録情報を、当該記録情報に対応する前記記録時点情報に基づいてグループ化し、同一のグループに属する前記記録情報を、当該記録情報に対応する前記記録時点情報に基づいてソートし、前記分類、前記グループ化及び前記ソートされた前記記録情報を表形式で表示する表形式表示手段を備える。
【００２２】
このような構成であれば、記録情報記憶手段の記録情報は、分類情報に基づいて複数の表示欄のいずれかに分類される。次いで、表示欄ごとに、その表示欄に分類された記録情報は、記録時点情報に基づいてグループ化される。次いで、同一のグループに属する記録情報は、記録時点情報に基づいてソートされる。そして、表形式表示手段により、このように分類、グループ化及びソートされた記録情報が表形式で表示される。
【００２３】
〔発明６〕  一方、上記目的を達成するために、発明６の記録情報管理システムは、発明５の記録情報管理システムにおいて、前記表形式表示手段で表示された表に対し前記記録情報を入力する第２記録情報入力手段と、前記第２記録情報入力手段で入力した記録情報に基づいて、当該記録情報を対応づける前記身体画像上の位置又は前記身体の部位を推定する位置推定手段とを備え、前記記録情報登録手段は、前記第２記録情報入力手段で入力した記録情報を、前記位置推定手段で推定した位置又は部位と対応づけて前記記録情報記憶手段に登録し、前記記録情報表示手段は、前記第２記録情報入力手段で入力した記録情報を、前記位置推定手段で推定した位置又は部位と対応づけて前記身体画像上に表示する。
【００２４】
このような構成であれば、第２記録情報入力手段により、表示された表に対し記録情報が入力されると、位置推定手段により、入力された記録情報に基づいて、その記録情報を対応づける身体画像上の位置又は身体の部位が推定され、記録情報登録手段により、入力された記録情報が、推定された位置又は部位と対応づけられて記録情報記憶手段に登録される。また、記録情報表示手段により、入力された記録情報が、推定された位置又は部位と対応づけられて身体画像上に表示される。
【００２５】
〔発明７〕  さらに、発明７の記録情報管理システムは、発明１乃至６のいずれか１の記録情報管理システムにおいて、前記記録情報表示手段で表示された記録情報について前記身体画像上の他の位置を指定する第２位置指定手段を備え、前記記録情報登録手段は、前記第２位置指定手段の指定に係る記録情報を、前記第２位置指定手段で指定した位置又は前記第２位置指定手段で指定した位置に係る前記身体の部位と対応づけて前記記録情報記憶手段に登録し、前記記録情報表示手段は、前記第２位置指定手段の指定に係る記録情報を、前記第２位置指定手段で指定した位置又は前記第２位置指定手段で指定した位置に係る前記身体の部位と対応づけて前記身体画像上に表示する。
【００２６】
このような構成であれば、第２位置指定手段により、表示された記録情報について身体画像上の他の位置が指定されると、記録情報登録手段により、指定に係る記録情報が、指定された位置又は指定された位置に係る身体の部位と対応づけられて記録情報記憶手段に登録される。また、記録情報表示手段により、指定に係る記録情報が、指定された位置又は指定された位置に係る身体の部位と対応づけられて身体画像上に表示される。
【００２７】
〔発明８〕  さらに、発明８の記録情報管理システムは、発明１乃至７のいずれか１の記録情報管理システムにおいて、前記記録情報記憶手段の記録情報を所定単位でグループ化し、前記グループのうち特定のグループに属する前記記録情報及び前記身体画像を含む注目画像、並びに、前記グループのうち前記特定のグループ以外の他のグループごとに当該グループに属する前記記録情報及び前記身体画像を含む非注目画像を表示する注目画像表示手段と、前記注目画像の内容と前記非注目画像の内容を切り換える注目画像切換手段とを備える。
【００２８】
このような構成であれば、注目画像表示手段により、記録情報記憶手段の記録情報が所定単位でグループ化され、特定のグループに属する記録情報及び身体画像を含む注目画像、並びに、特定のグループ以外の他のグループごとにそのグループに属する記録情報及び身体画像を含む非注目画像が表示される。そして、注目画像切換手段により、注目画像の内容と非注目画像の内容を切り換えることができる。
【００２９】
〔発明９〕  さらに、発明９の記録情報管理システムは、発明８の記録情報管理システムにおいて、前記注目画像表示手段は、前記注目画像を前記非注目画像よりも大きく画面の中央に表示し、前記注目画像を基点として所定方向に前記非注目画像を並べて表示するとともに前記画面に表示しきれない前記非注目画像については前記画面に表示される末端の前記非注目画像の背面に重ねて表示する。
【００３０】
このような構成であれば、注目画像表示手段により、注目画像が非注目画像よりも大きく画面の中央に表示され、注目画像を基点として所定方向に非注目画像が並べて表示されるとともに画面に表示しきれない非注目画像については画面に表示される末端の非注目画像の背面に重ねて表示される。
【００３１】
〔発明１０〕  さらに、発明１０の記録情報管理システムは、発明８及び９のいずれか１の記録情報管理システムにおいて、前記注目画像切換手段は、前記注目画像の内容が、これに隣接する前記非注目画像の内容に変更するように、前記注目画像の内容及び前記非注目画像の内容をスライドさせる。
【００３２】
このような構成であれば、注目画像切換手段により、注目画像の内容が、これに隣接する非注目画像の内容に変更するように、注目画像の内容及び非注目画像の内容がスライドする。
【００３３】
〔発明１１〕  さらに、発明１１の記録情報管理システムは、発明８乃至１０のいずれか１の記録情報管理システムにおいて、前記注目画像及び前記非注目画像の配列方向に沿って時系列表示領域を設定し、前記記録情報の記録の時点を特定するための記録時点情報に基づいて、時系列における所定区分ごとの前記記録情報の出現頻度を前記時系列表示領域に表示する出現頻度表示手段と、前記時系列表示領域上の位置を指定する第３位置指定手段とを備え、前記注目画像表示手段は、前記第３位置指定手段で指定した位置に対応する時点及び時系列上その前後の時点に対応する前記注目画像及び前記非注目画像を表示する。
【００３４】
このような構成であれば、出現頻度表示手段により、記録時点情報に基づいて、時系列における所定区分ごとの記録情報の出現頻度が時系列表示領域に表示される。そして、第３位置指定手段により、時系列表示領域上の位置が指定されると、注目画像表示手段により、指定された位置に対応する時点及び時系列上その前後の時点に対応する注目画像及び非注目画像が表示される。
【００３５】
〔発明１２〕  さらに、発明１２の記録情報管理システムは、発明８乃至１１のいずれか１の記録情報管理システムにおいて、絞込条件を入力する絞込条件入力手段と、前記絞込条件入力手段で入力した絞込条件に基づいて前記記録情報記憶手段のなかから前記記録情報を検索する記録情報検索手段とを備え、前記注目画像表示手段は、前記記録情報検索手段で索出した記録情報に対応する前記注目画像及び前記非注目画像を表示する。
【００３６】
このような構成であれば、絞込条件入力手段により、絞込条件が入力されると、記録情報検索手段により、入力された絞込条件に基づいて記録情報記憶手段のなかから記録情報が検索され、注目画像表示手段により、索出された記録情報に対応する注目画像及び非注目画像が表示される。
【００３７】
〔発明１３〕  さらに、発明１３の記録情報管理システムは、発明１乃至１２のいずれか１の記録情報管理システムにおいて、前記記録情報は、当該記録情報の分類に関する分類情報と、当該記録情報の記録の時点を特定するための記録時点情報とに対応づけられ、前記記録情報記憶手段の記録情報を、当該記録情報に対応する前記分類情報に基づいてグループ化し、グループごとに、当該グループに属する前記記録情報を代表する記録の時点を、当該記録情報に対応する前記記録時点情報に基づいて表示するグループ化記録時点表示手段と、複数の前記記録情報が属するグループについて前記グループ化記録時点表示手段で表示された記録の時点を指定する第１記録時点指定手段と、前記第１記録時点指定手段で指定した記録の時点に対応するグループに属する前記記録情報の各記録の時点を、当該記録情報に対応する前記記録時点情報に基づいて表示する記録時点一覧表示手段と、前記記録時点一覧表示手段で表示された各記録の時点のなかからいずれかを指定する第２記録時点指定手段と、１の前記記録情報が属するグループについて前記グループ化記録時点表示手段で表示された記録の時点を指定する第３記録時点指定手段と、前記第２記録時点指定手段又は前記第３記録時点指定手段で指定した記録の時点に対応する前記記録情報を表示する第２記録情報表示手段とを備える。
【００３８】
このような構成であれば、グループ化記録時点表示手段により、記録情報記憶手段の記録情報が分類情報に基づいてグループ化され、グループごとに、そのグループに属する記録情報を代表する記録の時点が記録時点情報に基づいて表示される。
【００３９】
まず、第１記録時点指定手段により、複数の記録情報が属するグループについて表示された記録の時点が指定されると、記録時点一覧表示手段により、指定された記録の時点に対応するグループに属する記録情報の各記録の時点が記録時点情報に基づいて表示される。そして、第２記録時点指定手段により、表示された各記録の時点のなかからいずれかが指定されると、第２記録情報表示手段により、指定された記録の時点に対応する記録情報が表示される。
【００４０】
これに対し、第３記録時点指定手段により、１の記録情報が属するグループについて表示された記録の時点が指定されると、第２記録情報表示手段により、指定された記録の時点に対応する記録情報が表示される。
【００４１】
〔発明１４〕  さらに、発明１４の記録情報管理システムは、発明１３の記録情報管理システムにおいて、前記分類情報は、疾病を識別するための疾病識別情報であり、前記グループ化記録時点表示手段は、前記疾病識別情報に基づいて疾病ごとに前記記録情報をグループ化する。
【００４２】
このような構成であれば、グループ化記録時点表示手段により、疾病識別情報に基づいて疾病ごとに記録情報がグループ化される。
【００４３】
〔発明１５〕  さらに、発明１５の記録情報管理システムは、発明１３及び１４のいずれか１の記録情報管理システムにおいて、前記グループ化記録時点表示手段は、グループごとに、当該グループに係る分類を表す情報とともに当該グループに属する前記記録情報を代表する記録の時点を表示する。
【００４４】
このような構成であれば、グループ化記録時点表示手段により、グループごとに、そのグループに係る分類を表す情報とともにそのグループに属する記録情報を代表する記録の時点が表示される。
【００４５】
〔発明１６〕  一方、上記目的を達成するために、発明１６の記録情報管理プログラムは、身体の全部又は一部を表す身体画像を表示する身体画像表示ステップと、前記身体画像上の位置を指定する位置指定ステップと、前記身体の全部又は一部に関する記録情報を入力する記録情報入力ステップと、前記記録情報入力ステップで入力した記録情報を、前記位置指定ステップで指定した位置又は前記位置指定ステップで指定した位置に係る前記身体の部位と対応づけて記録情報記憶手段に登録する記録情報登録ステップと、前記記録情報入力ステップで入力した記録情報を、前記位置指定ステップで指定した位置又は前記位置指定ステップで指定した位置に係る前記身体の部位と対応づけて前記身体画像上に表示する記録情報表示ステップとを含む処理をコンピュータに実行させるためのプログラムである。
【００４６】
このような構成であれば、コンピュータによってプログラムが読み取られ、読み取られたプログラムに従ってコンピュータが処理を実行すると、発明１の記録情報管理システムと同等の作用が得られる。
【００４７】
〔発明１７〕  一方、上記目的を達成するために、発明１７の記録情報管理方法は、身体画像表示手段が、身体の全部又は一部を表す身体画像を表示する身体画像表示ステップと、位置指定手段が、前記身体画像上の位置を指定する位置指定ステップと、記録情報入力手段が、前記身体の全部又は一部に関する記録情報を入力する記録情報入力ステップと、記録情報登録手段が、前記記録情報入力ステップで入力した記録情報を、前記位置指定ステップで指定した位置又は前記位置指定ステップで指定した位置に係る前記身体の部位と対応づけて記録情報記憶手段に登録する記録情報登録ステップと、記録情報表示手段が、前記記録情報入力ステップで入力した記録情報を、前記位置指定ステップで指定した位置又は前記位置指定ステップで指定した位置に係る前記身体の部位と対応づけて前記身体画像上に表示する記録情報表示ステップとを含む。
【発明の効果】
【００４８】
以上説明したように、発明１の記録情報管理システム、発明１６の記録情報管理プログラム、又は発明１７の記録情報管理方法によれば、身体画像上の位置を指定して記録情報を入力することにより、患者等の被記録者を中心にした思考になるので、従来の電子カルテシステムよりも、利用者の思考の妨げになりにくい。また、身体画像との組み合わせで記録情報を整理、表示することにより記録情報を概念として捉えることができる。文字から必要な情報を探すという従来の電子カルテシステムに比して、被記録者の状態を素早く把握することができる。画像優位性効果により、記憶に残りやすいという利点もある。また、医療行為においては、部位の取り違えが医療事故に繋がる。手術部位を左右取り違えたために患者に障害が残った事例もある。本発明では、医療のシステムとして適用する場合、指示内容を部位と関連づけて記録、表示することにより正確に指示内容を伝えることができ、手術、処置部位の取り違えといった医療事故を抑制することができる。
【００４９】
さらに、発明２の記録情報管理システムによれば、記録情報入力支援手段が利用可能となるように、身体画像上の指定した位置に係る身体の部位（以下「指定部位」という。）に対応する入力支援情報が提供されるので、指定部位に関する記録情報を入力するにあたって効果的な入力支援を受けることができる。
【００５０】
さらに、発明３の記録情報管理システムによれば、利用者が利用する可能性が高い記録情報入力支援手段が起動するので、指定部位に関する記録情報を入力するにあたってさらに効果的な入力支援を受けることができる。
【００５１】
さらに、発明４の記録情報管理システムによれば、記録情報に適した身体画像を選択することができるので、記録情報がさらに整理、把握しやすくなる。
【００５２】
一方、発明５のことを特徴とする記録情報管理システムによれば、画像形式を表形式に変換することにより、部門スタッフ間での情報共有や、外部への情報公開が正式文書として表示することができる。
【００５３】
一方、発明６の記録情報管理システムによれば、表形式を画像形式に変換することにより、使い慣れた入力画面から患者等の被記録者に説明しやすい画面へ簡単に切り換えることができる。
【００５４】
さらに、発明７の記録情報管理システムによれば、記録情報について任意の位置又は部位に対応づけを変更することができるので、記録情報がさらに整理しやすくなる。
【００５５】
さらに、発明８の記録情報管理システムによれば、記録情報の履歴を容易に参照することができ、状況が把握しやすくなる。また、画像として直観的に比較することができるので、推移が把握しやすくなる。また、目的とする記録情報を探索する時間を短縮することができる。
【００５６】
さらに、発明９の記録情報管理システムによれば、画像としてさらに直観的に比較することができる。
【００５７】
さらに、発明１０の記録情報管理システムによれば、注目画像の内容が隣接の非注目画像の内容に変更しながらスライドするので、推移がさらに把握しやすくなる。
【００５８】
さらに、発明１１の記録情報管理システムによれば、時系列表示領域に表示された出現頻度から記録情報の記録分布を把握することができるので、状況がさらに把握しやすくなる。また、時系列表示領域上の位置を指定することにより、指定された位置に対応する時点及び時系列上その前後の時点に対応する注目画像及び非注目画像が表示されるので、目的とする記録情報を探索する時間をさらに短縮することができる。
【００５９】
さらに、発明１２の記録情報管理システムによれば、所望の条件で絞り込まれた注目画像及び非注目画像が表示されるので、目的とする記録情報を探索する時間をさらに短縮することができる。
【００６０】
さらに、発明１３の記録情報管理システムによれば、記録情報の全体サマリを視覚的に分かりやすく参照することができる。また、記録情報を素早く参照することができるので、目的とする記録情報を探索する時間をさらに短縮することができる。
【００６１】
さらに、発明１４の記録情報管理システムによれば、疾病ごとに記録情報の全体サマリを視覚的に分かりやすく参照することができる。
【００６２】
さらに、発明１５の記録情報管理システムによれば、どのような分類でグループ化されているか及び記録情報の全体サマリを視覚的に分かりやすく参照することができる。
【図面の簡単な説明】
【００６３】
【図１】従来の電子カルテシステムとの対比において本実施の形態の特徴を示す図である。
【図２】電子カルテ装置１００のハードウェア構成を示す図である。
【図３】診療記録情報テーブル４００のデータ構造を示す図である。
【図４】位置情報テーブル４２０のデータ構造を示す図である。
【図５】タグテーブル４４０、身体レイヤテーブル４６０、部位テーブル４８０及び部位位置テーブル５００のデータ構造を示す図である。
【図６】起動履歴情報テーブル５２０のデータ構造を示す図である。
【図７】ツールテーブル５４０、シェーマ画像テーブル５６０及びテンプレートテーブル５８０のデータ構造を示す図である。
【図８】人体画像の例を示す図である。
【図９】各人体画像上の各部位の位置に関する情報を表す図である。
【図１０】診療記録情報表示処理を示すフローチャートである。
【図１１】本実施の形態の特徴を示す図である。
【図１２】表示形式変換処理を示すフローチャートである。
【図１３】本実施の形態の特徴を示す図である。
【図１４】時系列表示処理を示すフローチャートである。
【図１５】本実施の形態の特徴を示す図である。
【図１６】サマリ表示処理を示すフローチャートである。
【図１７】検査項目を表題として過去の診療履歴をサマリ表示する場合を示す図である。
【発明を実施するための形態】
【００６４】
〔第１の実施の形態〕
以下、本発明の第１の実施の形態を説明する。図１乃至図１０は、第１の実施の形態を示す図である。
【００６５】
図１は、従来の電子カルテシステムとの対比において本実施の形態の特徴を示す図である。同図（ａ）は、本実施の形態における診療記録情報の表示態様を示す図であり、同図（ｂ）は、従来の電子カルテシステムにおける診療記録情報の表示態様を示す図である。
【００６６】
従来の電子カルテシステムは、図１（ｂ）に示すように、医師が入力した診療記録情報の多くがテキストの羅列表示であるのに対し、本実施の形態は、図１（ａ）に示すように、人体の部位に関する診療記録情報を人体画像上の部位と対応づけて表示する点に特徴がある。
【００６７】
まず、本発明を適用する電子カルテ装置１００の構成を説明する。
図２は、電子カルテ装置１００のハードウェア構成を示す図である。
【００６８】
電子カルテ装置１００は、電子カルテシステムを構成する装置である。電子カルテ装置１００は、図２に示すように、制御プログラムに基づいて演算及びシステム全体を制御するＣＰＵ（Central Processing Unit）３０と、所定領域に予めＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ（InterFace）３８とで構成されており、これらは、データを転送するための信号線であるバス３９で相互に且つデータ授受可能に接続されている。
【００６９】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４とが接続されている。
【００７０】
次に、記憶装置４２のデータ構造を説明する。
図３は、診療記録情報テーブル４００のデータ構造を示す図である。
【００７１】
記憶装置４２は、図３に示すように、人体の部位に関する診療記録情報を登録する診療記録情報テーブル４００を記憶している。
【００７２】
診療記録情報テーブル４００には、診療記録情報ごとに１つのレコードが登録されている。各レコードは、診療記録情報を識別するため記録情報ＩＤを登録するフィールド４０２と、診療記録情報に設定されるタグを識別するためのタグＩＤを登録するフィールド４０４と、同一の記録情報ＩＤに対応づけて複数の診療記録情報が登録される場合に各診療記録情報のインデックス番号を登録するフィールド４０６と、テキストを登録するフィールド４０８と、診療記録情報に値を設定する場合にその値を登録するフィールド４１０と、フィールド４１０の値の単位を登録するフィールド４１２と、診療記録情報を記録した日時を登録するフィールド４１４とを有して構成されている。
【００７３】
図４は、位置情報テーブル４２０のデータ構造を示す図である。
記憶装置４２は、さらに、図４に示すように、診療記録情報を人体画像と対応づけるための人体画像上の位置情報を登録する位置情報テーブル４２０を記憶している。
【００７４】
位置情報テーブル４２０には、位置情報ごとに１つのレコードが登録されている。各レコードは、位置情報を識別するための位置情報ＩＤを登録するフィールド４２２と、記録情報ＩＤを登録するフィールド４２４と、診療記録情報を対応づける人体画像を識別するための身体レイヤＩＤを登録するフィールド４２６と、診療記録情報を対応づける部位を識別するための部位ＩＤを登録するフィールド４２８と、診療記録情報を対応づける人体画像上のＸ座標を登録するフィールド４３０と、診療記録情報を対応づける人体画像上のＹ座標を登録するフィールド４３２とを有して構成されている。
【００７５】
図５は、タグテーブル４４０、身体レイヤテーブル４６０、部位テーブル４８０及び部位位置テーブル５００のデータ構造を示す図である。
【００７６】
記憶装置４２は、さらに、図５（ａ）に示すように、タグに関する情報を登録するタグテーブル４４０を記憶している。
【００７７】
タグテーブル４４０には、タグごとに１つのレコードが登録されている。各レコードは、タグＩＤを登録するフィールド４４２と、タグの名称を登録するフィールド４４４とを有して構成されている。
【００７８】
記憶装置４２は、さらに、図５（ｂ）に示すように、人体画像に関する情報を登録する身体レイヤテーブル４６０を記憶している。
【００７９】
身体レイヤテーブル４６０には、人体画像ごとに１つのレコードが登録されている。各レコードは、身体レイヤＩＤを登録するフィールド４６２と、人体画像の名称を登録するフィールド４６４と、人体画像の画像情報を格納するファイルの名称を登録するフィールド４６６とを有して構成されている。
【００８０】
図８は、人体画像の例を示す図である。
記憶装置４２は、図８（ａ）に示すように、正面からみた人体の外観を示す人体画像の画像情報を記憶し、この人体画像に関する情報は、身体レイヤテーブル４６０の第１行目のレコードにおいて、名称が「外観（前）」、ファイル名が「appearance_front」として登録されている。また、記憶装置４２は、図８（ｂ）に示すように、背面からみた人体の外観を示す人体画像の画像情報を記憶し、この人体画像に関する情報は、同様に、身体レイヤテーブル４６０の第２行目のレコードに登録されている。また、記憶装置４２は、図８（ｃ）に示すように、人体画像中に内蔵を表示した人体画像の画像情報を記憶し、この人体画像に関する情報は、同様に、身体レイヤテーブル４６０の第３行目のレコードに登録されている。また、記憶装置４２は、図８（ｄ）に示すように、人体画像中に骨格を表示した人体画像の画像情報を記憶し、この人体画像に関する情報は、同様に、身体レイヤテーブル４６０の第４行目のレコードに登録されている。
【００８１】
記憶装置４２は、さらに、図５（ｃ）に示すように、部位に関する情報を登録する部位テーブル４８０を記憶している。
【００８２】
部位テーブル４８０には、部位ごとに１つのレコードが登録されている。各レコードは、部位ＩＤを登録するフィールド４８２と、部位の名称を登録するフィールド４８４とを有して構成されている。
【００８３】
記憶装置４２は、さらに、図５（ｄ）に示すように、各人体画像上の各部位の位置に関する情報を登録する部位位置テーブル５００を記憶している。
【００８４】
部位位置テーブル５００には、人体画像ごと及び部位ごとに１つのレコードが登録されている。各レコードは、部位位置ＩＤを登録するフィールド５０２と、身体レイヤＩＤを登録するフィールド５０４と、部位ＩＤを登録するフィールド５０６と、人体画像上の部位が占める範囲を設定する矩形の始点Ｘ座標（矩形の左上頂点のＸ座標）を登録するフィールド５０８と、人体画像上の部位が占める範囲を設定する矩形の始点Ｙ座標（矩形の左上頂点のＹ座標）を登録するフィールド５１０と、人体画像上の部位が占める範囲を設定する矩形の終点Ｘ座標（矩形の右下頂点のＸ座標）を登録するフィールド５１２と、人体画像上の部位が占める範囲を設定する矩形の終点Ｙ座標（矩形の右下頂点のＹ座標）を登録するフィールド５１４と、優先度を登録するフィールド５１６とを有して構成されている。
【００８５】
図９は、各人体画像上の各部位の位置に関する情報を表す図である。
図９の例では、人体画像「外観（前）」に対し、左腕、左手、顔、頭、鼻、口が部位として設定されている。部位「左腕」は、始点Ｘ座標及びＹ座標が「（400,800）」、終点Ｘ座標及びＹ座標が「（550,420）」、優先度が「低」に設定されている。部位「左手」は、始点Ｘ座標及びＹ座標が「（450,500）」、終点Ｘ座標及びＹ座標が「（530,450）」、優先度が「高」に設定されている。
【００８６】
図６は、起動履歴情報テーブル５２０のデータ構造を示す図である。
記憶装置４２は、さらに、図６に示すように、診療記録情報の入力を支援するツールを起動した起動履歴情報を登録する起動履歴情報テーブル５２０を記憶している。
【００８７】
起動履歴情報テーブル５２０には、起動履歴情報ごとに１つのレコードが登録されている。各レコードは、起動履歴情報を識別するための起動履歴ＩＤを登録するフィールド５２２と、ツールを利用した人体画像を識別するための身体レイヤＩＤを登録するフィールド５２４と、ツールを利用した部位を識別するための部位ＩＤを登録するフィールド５２６と、利用したツールを識別するためのツールＩＤを登録するフィールド５２８と、ツールを利用した利用者を識別するための利用者ＩＤを登録するフィールド５３０と、ツールを利用して入力された診療記録情報に係る患者を識別するための患者ＩＤを登録するフィールド５３２と、ツールを起動した日時を登録するフィールド５３４とを有して構成されている。
【００８８】
図７は、ツールテーブル５４０、シェーマ画像テーブル５６０及びテンプレートテーブル５８０のデータ構造を示す図である。
【００８９】
記憶装置４２は、さらに、図７（ａ）に示すように、ツールに関する情報を登録するツールテーブル５４０を記憶している。
【００９０】
ツールテーブル５４０には、ツールごとに１つのレコードが登録されている。各レコードは、ツールＩＤを登録するフィールド５４２と、ツールの名称を登録するフィールド５４４とを有して構成されている。
【００９１】
記憶装置４２は、さらに、図７（ｂ）に示すように、シェーマ画像に関する情報を登録するシェーマ画像テーブル５６０を記憶している。
【００９２】
シェーマ画像テーブル５６０には、シェーマ画像ごとに１つのレコードが登録されている。各レコードは、シェーマ画像を識別するためのシェーマＩＤを登録するフィールド５６２と、シェーマ画像に係る部位を識別するための部位ＩＤを登録するフィールド５６４と、シェーマ画像のテンプレートを識別するためのテンプレートＩＤを登録するフィールド５６６とを有して構成されている。
【００９３】
記憶装置４２は、さらに、図７（ｃ）に示すように、シェーマ画像のテンプレートに関する情報を登録するテンプレートテーブル５８０を記憶している。
【００９４】
テンプレートテーブル５８０には、テンプレートごとに１つのレコードが登録されている。各レコードは、テンプレートＩＤを登録するフィールド５８２と、テンプレートの名称を登録するフィールド５８４と、テンプレートを格納するファイルの名称を登録するフィールド５８６とを有して構成されている。
【００９５】
次に、本実施の形態の動作を説明する。
図１０は、診療記録情報表示処理を示すフローチャートである。
【００９６】
ＣＰＵ３０は、ＭＰＵ（Micro-Processing Unit）等からなり、ＲＯＭ３２の所定領域に格納されている所定のプログラムを起動させ、そのプログラムに従って、図１０のフローチャートに示す診療記録情報表示処理を実行する。
【００９７】
診療記録情報表示処理は、診療記録情報を人体画像上の部位と対応づけて表示する処理であって、ＣＰＵ３０において実行されると、図１０に示すように、まず、ステップＳ１００に移行する。
【００９８】
初めに、医師等の利用者は、診療記録情報の入力に利用する人体画像を選択する。ステップＳ１００〜Ｓ１０４が該当の処理である。なお、電子カルテシステムを利用するにあたっては、利用者は、ログイン処理等を通じて自己に割り当てられた利用者ＩＤを入力することにより電子カルテシステム上で現在システム利用中の利用者（以下「現利用者」という。）の利用者ＩＤが特定される。また、利用者は、診療対象となる患者に割り当てられた患者ＩＤを入力することにより電子カルテシステム上で現在診療対象の患者（以下「現患者」という。）の患者ＩＤが特定される。
【００９９】
ステップＳ１００では、人体画像の画像情報が記憶装置４２から読み出され、読み出された画像情報に基づいて複数の人体画像のサムネイル画像が表示装置４４に表示される。ステップＳ１０２では、表示された複数の人体画像のなかから利用者により人体画像が選択されると、ステップＳ１０４に移行して、選択された人体画像が、診療記録情報の入力に利用する人体画像として表示装置４４に表示される。
【０１００】
次に、利用者は、診療記録情報を入力する。診療記録情報は、ツールを利用して入力することもできるので、ツールを利用して診療記録情報を入力する場合を説明する。ステップＳ１０６〜Ｓ１２８が該当の処理である。
【０１０１】
ステップＳ１０６、Ｓ１０８では、利用者により人体画像上の位置が指定され、ツールメニュー起動ボタンが選択されると、ステップＳ１１０に移行して、ツールＩＤごとに、指定部位の部位ＩＤ、現利用者の利用者ＩＤ及び現患者の患者ＩＤに対応する所定期間分（例えば、過去１ヶ月分）の起動履歴情報が起動履歴情報テーブル５２０のなかから検索され、索出された起動履歴情報に基づいてツールごとの起動回数が算出される。ステップＳ１１２では、起動回数の大きい順にツール名を並べてツールメニューが表示される。これにより、ツールメニューでは、現利用者が現患者及び指定部位について利用する可能性が高い順にツール名が表示される。ステップＳ１１４では、ツールメニューのなかから利用者によりツールが選択されると、ステップＳ１１６に移行して、選択されたツールのツールＩＤ、現在利用中の人体画像の身体レイヤＩＤ、指定部位の部位ＩＤ、現利用者の利用者ＩＤ、現患者の患者ＩＤ及び現在日時を含む起動履歴情報が起動履歴情報テーブル５２０に登録される。
【０１０２】
ステップＳ１１８では、選択されたツールが起動し、ステップＳ１２０に移行して、選択されたツールで必要な情報（例えば、シェーマ画像のテンプレートのファイル名）（以下「入力支援情報」という。）のうち指定部位に対応するものがシェーマ画像テーブル５６０及びテンプレートテーブル５８０のなかから検索され、ステップＳ１２２に移行して、索出された入力支援情報に基づいて、指定部位に関連する項目が表示装置４４に表示される。例えば、指定部位が左手である場合は、図９に示すように、左手に関連づけられたシェーマ画像が表示される。表示された項目は、起動したツールが利用可能となる。
【０１０３】
ステップＳ１２４では、起動したツールを利用して利用者がシェーマ画像等を診療記録情報として入力したり、テキストを診療記録情報として入力したりすると、ステップＳ１２６に移行して、入力された診療記録情報が、ステップＳ１０６で指定された位置の位置情報と対応づけられて診療記録情報テーブル４００に登録される。位置情報は、位置情報テーブル４２０に登録される。そして、ステップＳ１２８では、図１に示すように、位置情報に基づいて、入力された診療記録情報が指定部位と対応づけられて表示装置４４に表示される。
【０１０４】
次に、本実施の形態の効果を説明する。
本実施の形態では、人体画像を表示し、人体画像上の位置を指定し、診療記録情報を入力し、入力した診療記録情報を、指定した位置の位置情報と対応づけて診療記録情報テーブル４００に登録し、入力した診療記録情報を指定部位と対応づけて人体画像上に表示する。
【０１０５】
これにより、人体画像上の位置を指定して診療記録情報を入力することにより、患者を中心にした思考になるので、従来の電子カルテシステムよりも、利用者の思考の妨げになりにくい。また、人体画像との組み合わせで診療記録情報を整理、表示することにより診療記録情報を概念として捉えることができる。文字から必要な情報を探すという従来の電子カルテシステムに比して、患者の状態を素早く把握することができる。画像優位性効果により、記憶に残りやすいという利点もある。また、医療行為においては、部位の取り違えが医療事故に繋がる。手術部位を左右取り違えたために患者に障害が残った事例もある。本実施の形態では、指示内容を部位と関連づけて記録、表示することにより正確に指示内容を伝えることができ、手術、処置部位の取り違えといった医療事故を抑制することができる。
【０１０６】
さらに、本実施の形態では、ツールを起動し、指定部位に対応する入力支援情報をシェーマ画像テーブル５６０及びテンプレートテーブル５８０のなかから検索し、索出した入力支援情報に基づいて、起動したツールが利用可能となるように、指定部位に関連する項目を表示する。
【０１０７】
これにより、ツールが利用可能となるように、指定部位に対応する入力支援情報が提供されるので、指定部位に関する診療記録情報を入力するにあたって効果的な入力支援を受けることができる。
【０１０８】
さらに、本実施の形態では、起動履歴情報に基づいて、利用者が利用する可能性が高いツールを推定し、推定したツールを起動する。
【０１０９】
これにより、利用者が利用する可能性が高いツールが起動するので、指定部位に関する診療記録情報を入力するにあたってさらに効果的な入力支援を受けることができる。
【０１１０】
さらに、本実施の形態では、複数の人体画像のなかから人体画像を選択し、選択した人体画像を表示する。
【０１１１】
これにより、診療記録情報に適した人体画像を選択することができるので、診療記録情報がさらに整理、把握しやすくなる。
【０１１２】
本実施の形態において、診療記録情報テーブル４００は、発明１、１６又は１７の記録情報記憶手段に対応し、起動履歴情報テーブル５２０は、発明３の起動履歴情報記憶手段に対応し、ツールは、発明２又は３の記録情報入力支援手段に対応し、ステップＳ１０２は、発明４の身体画像選択手段に対応している。また、ステップＳ１０４は、発明１、４若しくは１７の身体画像表示手段、又は発明１６若しくは１７の身体画像表示ステップに対応し、ステップＳ１０６は、発明１、２若しくは１７の位置指定手段、又は発明１６若しくは１７の位置指定ステップに対応している。
【０１１３】
また、本実施の形態において、ステップＳ１１０、Ｓ１１２は、発明３の記録情報入力支援手段推定手段に対応し、ステップＳ１１８は、発明２又は３の記録情報入力支援手段起動手段に対応し、ステップＳ１２０は、発明２の入力支援情報検索手段に対応している。また、ステップＳ１２２は、発明２の入力支援情報提供手段に対応し、ステップＳ１２４は、発明１若しくは１７の記録情報入力手段、又は発明１６若しくは１７の記録情報入力ステップに対応し、ステップＳ１２６は、発明１若しくは１７の記録情報登録手段、又は発明１６若しくは１７の記録情報登録ステップに対応している。
【０１１４】
また、本実施の形態において、ステップＳ１２８は、発明１若しくは１７の記録情報表示手段、又は発明１６若しくは１７の記録情報表示ステップに対応している。
【０１１５】
〔第２の実施の形態〕
次に、本発明の第２の実施の形態を説明する。図１１及び図１２は、第２の実施の形態を示す図である。なお、以下、上記第１の実施の形態と異なる部分についてのみ説明し、重複する部分については同一の符号を付して説明を省略する。
【０１１６】
図１１は、本実施の形態の特徴を示す図である。同図（ａ）は、画像形式で診療記録情報を表示する場合を示す図であり、同図（ｂ）は、表形式で診療記録情報を表示する場合を示す図である。
【０１１７】
本実施の形態は、図１１に示すように、画像形式による表示形式（上記第１の実施の形態での表示形式をいう。）及び表形式による表示形式を相互に切り換え、画像形式又は表形式で診療記録情報を表示する点に特徴がある。
【０１１８】
次に、本実施の形態の動作を説明する。
図１２は、表示形式変換処理を示すフローチャートである。
【０１１９】
ＣＰＵ３０は、ＲＯＭ３２の所定領域に格納されている所定のプログラムを起動させ、そのプログラムに従って、図１２のフローチャートに示す表示形式変換処理を実行する。
【０１２０】
表示形式変換処理は、ＣＰＵ３０において実行されると、図１２に示すように、まず、ステップＳ２００に移行する。
【０１２１】
初めに、診療記録情報を表形式で表示する場合を説明する。ステップＳ２０４〜Ｓ２１２が該当の処理である。
【０１２２】
ステップＳ２００では、表形式又は画像形式のうちいずれかの表示形式が利用者により指定されると、ステップＳ２０２に移行して、指定された表示形式が表形式であるか否かが判定される。この結果、表形式であると判定されたとき(YES)は、ステップＳ２０４に移行して、表示に必要な診療記録情報が診療記録情報テーブル４００のなかから検索される。ステップＳ２０６では、索出された診療記録情報が、その診療記録情報に対応するタグに基づいて複数の表示欄のいずれかに分類され、表示欄ごとに、その表示欄に分類された診療記録情報が記録日（記録日時のうち日付の部分）ごとにグループ化され、同一のグループに属する診療記録情報が記録時刻（記録日時のうち時刻の部分）の若い順にソートされ、図１１（ｂ）に示すように、分類、グループ化及びソートされた診療記録情報が表形式で表示装置４４に表示される。
【０１２３】
ステップＳ２０８では、表示された表に対し利用者により診療記録情報が入力されると、ステップＳ２１０に移行して、入力された診療記録情報に基づいて、その診療記録情報を対応づける人体画像上の位置情報が推定される。位置情報は、選択されたセットやテンプレートなどの部位学習データベース（不図示）より推定される。ステップＳ２１２では、入力された診療記録情報が、推定された位置情報と対応づけられて診療記録情報テーブル４００に登録される。位置情報は、位置情報テーブル４２０に登録されるが、ステップＳ２１０で位置情報が推定できない場合は、位置情報は登録されない。
【０１２４】
次に、診療記録情報を画像形式で表示する場合を説明する。ステップＳ２１４〜Ｓ２２４が該当の処理である。
【０１２５】
ステップＳ２０２で画像形式であると判定されたとき(NO)は、ステップＳ２１４に移行して、表示に必要な診療記録情報が診療記録情報テーブル４００のなかから検索され、ステップＳ２１６に移行して、索出された診療記録情報に対応する位置情報が位置情報テーブル４２０のなかから検索される。ステップＳ２１８では、診療記録情報に位置情報が設定されているか否かが判定される。この結果、位置情報が設定されていると判定されたとき(YES)は、ステップＳ２２０に移行して、図１１（ａ）に示すように、索出された位置情報に基づいて、索出された診療記録情報が指定部位と対応づけられて表示装置４４に表示される。
【０１２６】
これに対し、ステップＳ２１８で診療記録情報に位置情報が設定されていないと判定されたとき(NO)は、ステップＳ２２２に移行して、ステップＳ２１０と同様に、索出された診療記録情報に基づいて、その診療記録情報を対応づける人体画像上の位置情報が推定され、ステップＳ２２４に移行して、図１１（ａ）に示すように、推定された位置情報に基づいて、索出された診療記録情報が指定部位と対応づけられて表示装置４４に表示される。
【０１２７】
次に、診療記録情報の対応づけを他の部位に変更する場合を説明する。ステップＳ２２６〜Ｓ２３０が該当の処理である。
【０１２８】
ステップＳ２２６では、表示された診療記録情報について利用者により人体画像上の他の位置が指定（例えば、ドラッグアンドドロップ）されると、ステップＳ２２８に移行して、指定に係る診療記録情報が、指定された位置の位置情報と対応づけられて診療記録情報テーブル４００に登録される。位置情報は、位置情報テーブル４２０に登録される。そして、ステップＳ２３０では、位置情報に基づいて、入力された診療記録情報が指定部位と対応づけられて表示装置４４に表示される。
【０１２９】
次に、本実施の形態の効果を説明する。
本実施の形態では、診療記録情報テーブル４００の診療記録情報をタグに基づいて複数の表示欄のいずれかに分類し、表示欄ごとに、その表示欄に分類された診療記録情報を記録日ごとにグループ化し、同一のグループに属する診療記録情報を記録時刻の若い順にソートし、分類、グループ化及びソートされた診療記録情報を表形式で表示する。
【０１３０】
これにより、画像形式を表形式に変換することにより、部門スタッフ間での情報共有や、外部への情報公開が正式文書として表示することができる。
【０１３１】
さらに、本実施の形態では、表示された表に対し診療記録情報を入力し、入力した診療記録情報に基づいて、その診療記録情報を対応づける人体画像上の位置情報を推定し、入力した診療記録情報を、推定した位置情報と対応づけて診療記録情報テーブル４００に登録し、入力した診療記録情報を指定部位と対応づけて人体画像上に表示する。
【０１３２】
これにより、表形式を画像形式に変換することにより、使い慣れた入力画面から患者に説明しやすい画面へ簡単に切り換えることができる。
【０１３３】
さらに、本実施の形態では、表示された診療記録情報について人体画像上の他の位置を指定し、指定に係る診療記録情報を、指定した位置の位置情報と対応づけて診療記録情報テーブル４００に登録し、指定に係る診療記録情報を指定部位と対応づけて人体画像上に表示する。
【０１３４】
これにより、診療記録情報について任意の部位に対応づけを変更することができるので、診療記録情報がさらに整理しやすくなる。
【０１３５】
本実施の形態において、診療記録情報テーブル４００は、発明５乃至７の記録情報記憶手段に対応し、タグは、発明５の分類情報に対応し、記録日時は、発明５の記録時点情報に対応し、ステップＳ２０６は、発明５又は６の表形式表示手段に対応している。また、ステップＳ２０８は、発明６の第２記録情報入力手段に対応し、ステップＳ２１０は、発明６の位置推定手段に対応し、ステップＳ２１２は、発明６又は７の記録情報登録手段に対応し、ステップＳ２２０、Ｓ２３０は、発明６又は７の記録情報表示手段に対応している。
【０１３６】
また、本実施の形態において、ステップＳ２２６は、発明７の第２位置指定手段に対応している。
【０１３７】
〔第３の実施の形態〕
次に、本発明の第３の実施の形態を説明する。図１３及び図１４は、第３の実施の形態を示す図である。なお、以下、上記第１の実施の形態と異なる部分についてのみ説明し、重複する部分については同一の符号を付して説明を省略する。
【０１３８】
図１３は、本実施の形態の特徴を示す図である。
本実施の形態は、図１３に示すように、過去の診療履歴を時系列で表示する点に特徴がある。
【０１３９】
次に、本実施の形態の構成を説明する。
記憶装置４２は、診療ごとに診療画像の画像情報を記憶している。診療画像とは、１回の診療に係る診療記録情報を部位と対応づけて人体画像上に表した画像である。
【０１４０】
次に、本実施の形態の動作を説明する。
図１４は、時系列表示処理を示すフローチャートである。
【０１４１】
ＣＰＵ３０は、ＲＯＭ３２の所定領域に格納されている所定のプログラムを起動させ、そのプログラムに従って、図１４のフローチャートに示す時系列表示処理を実行する。
【０１４２】
時系列表示処理は、ＣＰＵ３０において実行されると、図１４に示すように、まず、ステップＳ３００に移行する。
【０１４３】
初めに、診療画像のサムネイル画像を表示する場合を説明する。ステップＳ３０２〜Ｓ３０６が該当の処理である。
【０１４４】
ステップＳ３００では、過去の診療画像一覧が利用者により指定され、指定日付が入力されると、ステップＳ３０２に移行して、指定日付の診療及びその前後所定日付の診療に対応する診療画像の画像情報が記憶装置４２のなかから検索され、ステップＳ３０４に移行して、索出された画像情報に基づいて、指定日付を中心として診療画像のサムネイル画像が表示装置４４に表示される。指定日付の診療に対応する診療画像のサムネイル画像（注目画像）は、指定日付の前後所定日付の診療に対応する診療画像のサムネイル画像（非注目画像）よりも大きく画面の中央に表示される。注目画像及び非注目画像は、注目画像を中心として横方向に並べて表示され、画面左側の方が記録日時が古く、画面右側の方が記録日時が新しくなるように配列される。画面に表示しきれない非注目画像は、画面に表示される末端の非注目画像の背面に重ねて表示される。
【０１４５】
ステップＳ３０６では、サムネイル画像の配列方向に沿って診療件数グラフ領域が設定され、診療記録情報の記録日時に基づいて所定期間（例えば、１ヶ月）ごとの診療件数が診療件数グラフ領域に表示される。
【０１４６】
次に、診療画像のサムネイル画像をスライドさせる場合を説明する。ステップＳ３０８〜Ｓ３１４が該当の処理である。
【０１４７】
ステップＳ３０８では、サムネイル画像のスライドが利用者により指示されると、ステップＳ３１０に移行して、スライド先のサムネイル画像が存在するか否かが判定される。この結果、スライド先のサムネイル画像が存在しないと判定されたとき(NO)は、ステップＳ３１２に移行して、スライド先の日付の診療に対応する診療画像の画像情報が記憶装置４２のなかから検索され、ステップＳ３１４に移行して、索出された画像情報に基づいて、スライド先の日付を中心として診療画像のサムネイル画像が表示装置４４に表示される。サムネイル画像は、ステップＳ３０４と同様の表示態様で表示される。注目画像の内容は、これに隣接する非注目画像の内容に変更される。右にスライドしたときは、注目画像の内容は、時系列上一つ後の新しい診療に対応するサムネイル画像の内容に変更され、逆に左にスライドしたときは、時系列上一つ前の古い診療に対応するサムネイル画像の内容に変更される。
【０１４８】
これに対し、ステップＳ３１０でスライド先のサムネイル画像が存在すると判定されたとき(YES)は、ステップＳ３１４に移行して、スライド先の日付を中心として診療画像のサムネイル画像が表示装置４４に表示される。
【０１４９】
次に、診療件数グラフを指定して診療画像のサムネイル画像を表示する場合を説明する。ステップＳ３１６〜Ｓ３２２が該当の処理である。
【０１５０】
ステップＳ３１６では、診療件数グラフ領域上の位置が利用者により指定されると、ステップＳ３１８に移行して、指定日付と指定件数分のサムネイル画像が存在するか否かが判定される。この結果、指定日付と指定件数分のサムネイル画像が存在しないと判定されたとき(NO)は、ステップＳ３２０に移行して、指定日付と指定件数分の診療画像の画像情報が記憶装置４２のなかから検索され、ステップＳ３２２に移行して、索出された画像情報に基づいて、指定された位置に対応する日付を中心として診療画像のサムネイル画像が表示装置４４に表示される。サムネイル画像は、ステップＳ３０４と同様の表示態様で表示される。
【０１５１】
これに対し、ステップＳ３１８で指定日付と指定件数分のサムネイル画像が存在すると判定されたとき(YES)は、ステップＳ３２２に移行して、指定された位置に対応する日付を中心として診療画像のサムネイル画像が表示装置４４に表示される。
【０１５２】
次に、検索条件を指定して診療画像のサムネイル画像を表示する場合を説明する。ステップＳ３２４〜Ｓ３２８が該当の処理である。
【０１５３】
ステップＳ３２４では、部位、主病名等の絞込条件が利用者により入力されると、ステップＳ３２６に移行して、入力された絞込条件に基づいて診療記録情報テーブル４００のなかから診療記録情報が検索され、索出された診療記録情報に対応する診療画像の画像情報が記憶装置４２のなかから検索され、ステップＳ３２８に移行して、索出された画像情報に基づいて、指定日付を中心として診療画像のサムネイル画像が表示装置４４に表示される。サムネイル画像は、ステップＳ３０４と同様の表示態様で表示される。例えば、部位として「左手」が絞込条件として入力された場合は、左手の診療に対応する診療画像のサムネイル画像が表示される。また例えば、主病名として「アレルギー性胃炎」が絞込条件として入力された場合は、アレルギー性胃炎の診療に対応する診療画像のサムネイル画像が表示される。
【０１５４】
次に、診療画像に対応する診療記録情報を表示する場合を説明する。ステップＳ３３０〜Ｓ３３４が該当の処理である。
【０１５５】
ステップＳ３３０では、一覧中のいずれかのサムネイル画像を指定することにより診療画像表示が利用者により指示されると、ステップＳ３３２に移行して、指定されたサムネイル画像に対応する診療記録情報が診療記録情報テーブル４００のなかから検索され、ステップＳ３３４に移行して、索出された診療記録情報が表示装置４４に表示される。診療記録情報は、ステップＳ１２８と同様の表示態様で表示される。
【０１５６】
次に、本実施の形態の効果を説明する。
本実施の形態では、診療記録情報テーブル４００の診療記録情報を診療単位でグループ化し、指定日付の診療に対応する注目画像及び指定日付の前後所定日付の診療に対応する非注目画像を表示し、注目画像の内容と非注目画像の内容を切り換える。
【０１５７】
これにより、診療履歴を容易に参照することができ、状況が把握しやすくなる。また、画像として直観的に比較することができるので、推移が把握しやすくなる。また、目的とする診療履歴を探索する時間を短縮することができる。
【０１５８】
さらに、本実施の形態では、注目画像を非注目画像よりも大きく画面の中央に表示し、注目画像を中心として横方向に非注目画像を並べて表示するとともに画面に表示しきれない非注目画像については画面に表示される末端の非注目画像の背面に重ねて表示する。
【０１５９】
これにより、画像としてさらに直観的に比較することができる。
さらに、本実施の形態では、注目画像の内容が、これに隣接する非注目画像の内容に変更するように、注目画像の内容及び非注目画像の内容をスライドさせる。
【０１６０】
これにより、注目画像の内容が隣接の非注目画像の内容に変更しながらスライドするので、推移がさらに把握しやすくなる。
【０１６１】
さらに、本実施の形態では、サムネイル画像の配列方向に沿って診療件数グラフ領域を設定し、診療記録情報の記録日時に基づいて所定期間ごとの診療件数を診療件数グラフ領域に表示し、診療件数グラフ領域上の位置を指定し、指定した位置に対応する時点及びその前後の時点に対応するサムネイル画像を表示する。
【０１６２】
これにより、診療件数グラフ領域に表示された診療件数から診療記録情報の記録分布を把握することができるので、状況がさらに把握しやすくなる。また、診療件数グラフ領域上の位置を指定することにより、指定された位置に対応する時点及び時系列上その前後の時点に対応するサムネイル画像が表示されるので、目的とする診療履歴を探索する時間をさらに短縮することができる。
【０１６３】
さらに、本実施の形態では、絞込条件を入力し、入力した絞込条件に基づいて診療記録情報テーブル４００のなかから診療記録情報を検索し、索出した診療記録情報に対応するサムネイル画像を表示する。
【０１６４】
これにより、所望の条件で絞り込まれたサムネイル画像が表示されるので、目的とする診療履歴を探索する時間をさらに短縮することができる。
【０１６５】
本実施の形態において、診療記録情報テーブル４００は、発明８又は１２の記録情報記憶手段に対応し、記録日時は、発明１１の記録時点情報に対応し、診療件数グラフ領域は、発明１１の時系列表示領域に対応し、ステップＳ３０４、Ｓ３２２、Ｓ３２８は、発明８、９、１１又は１２の注目画像表示手段に対応している。また、ステップＳ３０６は、発明１１の出現頻度表示手段に対応し、ステップＳ３１０〜Ｓ３１４は、発明８又は１０の注目画像切換手段に対応し、ステップＳ３１６は、発明１１の第３位置指定手段に対応し、ステップＳ３２４は、発明１２の絞込条件入力手段に対応している。
【０１６６】
また、本実施の形態において、ステップＳ３２６は、発明１２の記録情報検索手段に対応している。
【０１６７】
〔第４の実施の形態〕
次に、本発明の第４の実施の形態を説明する。図１５乃至図１７は、第４の実施の形態を示す図である。なお、以下、上記第１の実施の形態と異なる部分についてのみ説明し、重複する部分については同一の符号を付して説明を省略する。
【０１６８】
図１５は、本実施の形態の特徴を示す図である。
本実施の形態は、図１５に示すように、過去の診療履歴をサマリ表示する点に特徴がある。
【０１６９】
次に、本実施の形態の動作を説明する。
図１６は、サマリ表示処理を示すフローチャートである。
【０１７０】
ＣＰＵ３０は、ＲＯＭ３２の所定領域に格納されている所定のプログラムを起動させ、そのプログラムに従って、図１６のフローチャートに示すサマリ表示処理を実行する。
【０１７１】
サマリ表示処理は、ＣＰＵ３０において実行されると、図１６に示すように、まず、ステップＳ４００に移行する。
【０１７２】
初めに、過去の診療記録をサマリ表示する場合を説明する。ステップＳ４００〜４１６が該当の処理である。
【０１７３】
ステップＳ４００では、グループ化するためのタグ情報が取得され、ステップＳ４０２に移行して、人体画像の画像情報が記憶装置４２から読み出され、ステップＳ４０４に移行して、表示に必要な診療記録情報が診療記録情報テーブル４００のなかから検索される。
【０１７４】
ステップＳ４０６では、診療記録情報に位置情報が設定されているか否かが判定される。この結果、位置情報が設定されていると判定されたとき(YES)は、ステップＳ４０８に移行して、位置情報の位置が表示位置に設定されるが、位置情報が設定されていないと判定されたとき(NO)は、ステップＳ４１０に移行して、余白部分の位置が表示位置に設定される。
【０１７５】
ステップＳ４１２では、取得されたタグ情報に基づいてタグ名が病名であるか否かが判定される。この結果、タグ名が病名であると判定されたとき(YES)は、ステップＳ４１４に移行して、ステップＳ４０４で索出された診療記録情報がタグに基づいてグループ化され、グループごとに、そのグループに係る主病名を表題として、そのグループに属する診療記録情報を代表する記録日（診療日）が、その診療記録情報の記録日時に基づいて表示装置４４に表示される。表題及び記録日は、ステップＳ４０８、Ｓ４１０で設定された表示位置に表示される。図１５の例では、主病名「咽頭痛」については過去に１回の診療が行われており、この診療に対応する診療記録情報を代表する記録日として「２０１２年６月２０日」が表題「咽頭痛」とともに表示されている。また、主病名「アレルギー性胃炎」については過去に５回の診療が行われており、これら診療に対応する診療記録情報を代表する記録日として「２０１４年１月１７日」が表題「アレルギー性胃炎」とともに表示されている。代表する記録日としては、例えば、そのグループに属する診療記録情報の記録日のうち最も新しい記録日又は最も古い記録日を採用することができる。
【０１７６】
図１７は、検査項目を表題として過去の診療履歴をサマリ表示する場合を示す図である。
【０１７７】
これに対し、ステップＳ４１２で、タグ名が病名でないと判定されたとき(NO)は、ステップＳ４１６に移行して、ステップＳ４０４で索出された診療記録情報がタグに基づいてグループ化され、グループごとに、そのグループに係る項目名を表題として、そのグループに属する診療記録情報を代表する記録日（診療日）が、その診療記録情報の記録日時に基づいて表示装置４４に表示される。ステップＳ４１４と異なるのは、表題の表示である。図１７の例では、タグとして「検査」が指定された場合であり、この場合、主病名ではなく検査項目を表題として記録日が表示されている。
【０１７８】
次に、サマリ表示から診療記録情報を表示する場合を説明する。ステップＳ４１８〜Ｓ４２８が該当の処理である。
【０１７９】
ステップＳ４１８では、表示中のいずれかの記録日が利用者により指定されると、ステップＳ４２０に移行して、指定された記録日に対応するグループに複数の診療記録情報が設定されているか否かが判定される。この結果、複数の診療記録情報が設定されていると判定されたとき(YES)は、ステップＳ４２２に移行して、そのグループに属する診療記録情報の記録日の一覧が表示装置４４に表示される。ステップＳ４２４では、記録日の一覧のなかからいずれかの記録日が利用者により指定されると、ステップＳ４２６に移行して、指定された記録日の診療記録情報が表示装置４４に表示される。診療記録情報は、ステップＳ１２８と同様の表示態様で表示される。
【０１８０】
これに対し、ステップＳ４２０で、複数の診療記録情報が設定されていないと判定されたとき(NO)は、ステップＳ４２６に移行して、指定された記録日の診療記録情報が表示装置４４に表示される。
【０１８１】
次に、本実施の形態の効果を説明する。
本実施の形態では、診療記録情報テーブル４００の診療記録情報をタグに基づいてグループ化し、グループごとに、そのグループに属する診療記録情報を代表する記録日を、その診療記録情報の記録日時に基づいて表示し、複数の診療記録情報が属するグループについて表示された記録日を指定し、指定した記録日に対応するグループに属する診療記録情報の各記録日を、その診療記録情報の記録日時に基づいて表示し、表示された各記録日のなかからいずれかを指定し、１の診療記録情報が属するグループについて表示された記録日を指定し、指定した記録日に対応する診療記録情報を表示する。
【０１８２】
これにより、診療記録情報の全体サマリを視覚的に分かりやすく参照することができる。また、診療記録情報を素早く参照することができるので、目的とする診療履歴を探索する時間をさらに短縮することができる。
【０１８３】
さらに、本実施の形態では、診療記録情報のタグに基づいて主病名ごとに診療記録情報をグループ化する。
【０１８４】
これにより、主病名ごとに診療記録情報の全体サマリを視覚的に分かりやすく参照することができる。
【０１８５】
さらに、本実施の形態では、タグごとに、タグ名を表題として診療記録情報を代表する記録日を表示する。
【０１８６】
これにより、どのようなタグでグループ化されているか及び診療記録情報の全体サマリを視覚的に分かりやすく参照することができる。
【０１８７】
本実施の形態において、診療記録情報テーブル４００は、発明１３の記録情報記憶手段に対応し、タグは、発明１３又は１４の分類情報に対応し、主病名のタグは、発明１４の疾病識別情報に対応し、記録日時は、発明１３の記録時点情報に対応している。また、ステップＳ４１４、Ｓ４１６は、発明１３乃至１５のグループ化記録時点表示手段に対応し、ステップＳ４１８は、発明１３の第１記録時点指定手段、又は発明１３の第３記録時点指定手段に対応し、ステップＳ４２２は、発明１３の記録時点一覧表示手段に対応している。
【０１８８】
また、本実施の形態において、ステップＳ４２４は、発明１３の第２記録時点指定手段に対応し、ステップＳ４２６は、発明１３の第２記録情報表示手段に対応している。
【０１８９】
〔応用例〕
なお、上記第２の実施の形態においては、索出した診療記録情報に基づいて位置情報を推定し、推定した位置情報に基づいて診療記録情報を指定部位と対応づけて表示したが、これに限らず、診療記録情報に位置情報が設定されていない場合は、位置情報は推定せず、診療記録情報を余白部分に表示することもできる。
【０１９０】
また、上記実施の形態及びその応用例において、人体画像は、人体の全部を表したものを採用したが、これに限らず、人体の一部を表したものを採用することもできる。
【０１９１】
また、上記実施の形態及びその応用例においては、人体画像を採用したが、これに限らず、例えば、動物の身体の全部又は一部を表す身体画像を採用することもできる。
【０１９２】
また、上記実施の形態及びその応用例においては、テーブル４００〜５８０を電子カルテ装置１００に備えたが、これに限らず、ネットワークで接続される他のデータベースサーバ等にテーブルを備え、ネットワーク経由でテーブルを参照するように構成することもできる。
【０１９３】
また、上記実施の形態及びその応用例においては、電子カルテシステムを単一の装置で構成したが、これに限らず、複数の装置をネットワークで接続したネットワークシステムとして構成することもできる。例えば、医療情報管理サーバと複数の医療情報表示端末をネットワークで接続して電子カルテシステムを構成する。この場合、電子カルテ装置１００の主要な機能を医療情報管理サーバの機能として実現するが、上記実施の形態及びその応用例と異なるのは、医療情報管理サーバが入力装置４０による入力に代えて医療情報表示端末から情報を受信する点と、医療情報管理サーバが表示装置４４による表示に代えて医療情報表示端末に情報を送信する点である。
【０１９４】
また、上記実施の形態及びその応用例において、図１０、図１２、図１４及び図１６のフローチャートに示す処理を実行するにあたってはいずれも、ＲＯＭ３２に予め格納されている制御プログラムを実行する場合について説明したが、これに限らず、これらの手順を示したプログラムが記憶された記憶媒体から、そのプログラムをＲＡＭ３４に読み込んで実行するようにしてもよい。
【０１９５】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１９６】
また、上記実施の形態においては、本発明を電子カルテシステムとして適用したが、これに限らず、本発明の主旨を逸脱しない範囲で他の場合にも適用可能である。例えば、電子カルテシステム以外の医療のシステム、介護のシステム又は福祉のシステムとして適用することもできる。また例えば、動物の電子カルテシステムとして適用することもできる。
【符号の説明】
【０１９７】
１００…電子カルテ装置、  ３０…ＣＰＵ、  ３２…ＲＯＭ、  ３４…ＲＡＭ、  ３８…Ｉ／Ｆ、  ３９…バス、  ４０…入力装置、  ４２…記憶装置、  ４４…表示装置、  ４００…診療記録情報テーブル、  ４２０…位置情報テーブル、  ４４０…タグテーブル、  ４６０…身体レイヤテーブル、  ４８０…部位テーブル、  ５００…部位位置テーブル、  ５２０…起動履歴情報テーブル、  ５４０…ツールテーブル、  ５６０…シェーマ画像テーブル、  ５８０…テンプレートテーブル
【要約】      （修正有）【課題】利用者の思考を妨げず且つ膨大な記録情報を直感的に把握するのに好適な記録情報管理システムを提供する。【解決手段】電子カルテ装置は、身体の全部又は一部を表す人体画像を表示し、人体画像上の位置を指定し、診療記録情報を入力し、入力した診療記録情報を、指定した位置に係る前記身体の部位と対応づけて診療記録情報テーブルに登録し、入力した診療記録情報を指定した位置又は指定した位置に係る身体の部位と対応づけて人体画像上に表示する。【選択図】図１【図１】
0005868536.tif 000002
【図２】
0005868536.tif 000003
【図３】
0005868536.tif 000004
【図４】
0005868536.tif 000005
【図５】
0005868536.tif 000006
【図６】
0005868536.tif 000007
【図７】
0005868536.tif 000008
【図８】
0005868536.tif 000009
【図９】
0005868536.tif 000010
【図１０】
0005868536.tif 000011
【図１１】
0005868536.tif 000012
【図１２】
0005868536.tif 000013
【図１３】
0005868536.tif 000014
【図１４】
0005868536.tif 000015
【図１５】
0005868536.tif 000016
【図１６】
0005868536.tif 000017
【図１７】
0005868536.tif 000018